【手続補正書】
【提出日】平成26年9月19日(2014.9.19)
【手続補正１】
【補正対象書類名】特許請求の範囲
【補正対象項目名】全文
【補正方法】変更
【補正の内容】
【特許請求の範囲】
【請求項１】
複数のデスクトップ及び複数のアプリケーションのうちの一つまたは複数を複数画面デバイス上で表示する方法であって、デスクトップ及びアプリケーションのうちの少なくとも一方の各々は、少なくとも１つのウィンドウを有し、
一つまたは複数のプロセッサによって、第１のアプリケーションに関連するウィンドウを前記複数画面デバイスの第１のディスプレイ上に表示された第１の位置から第２の位置に移動させ、前記複数画面デバイスの前記第１のディスプレイ上に第１のデスクトップを明示するという命令を表す第１の入力を受信することであって、前記第１のアプリケーションに関連する前記ウィンドウと前記第１のデスクトップとは、少なくとも一つのウィンドウスタックに配置され、前記第２の位置は不可視位置である、前記第１の入力を受信すること、
前記第１のディスプレイ上に表示する第２のアプリケーションを選択すること、
前記少なくとも一つのウィンドウスタックにおける前記第２のアプリケーションに関連するウィンドウに対する第１のスタック位置を決定すること、
前記複数画面デバイスの第２のディスプレイ上に第２のデスクトップを明示するという命令を表す第２の入力を受信すること、
前記第２のディスプレイ上に表示する第３のアプリケーションを選択すること、
前記少なくとも一つのウィンドウスタックにおける前記第３のアプリケーションに関連するウィンドウに対する第２のスタック位置を決定すること、
選択した前記第２のアプリケーションを前記第１のディスプレイ上の前記第２のアプリケーションに関連するウィンドウに表示し、選択した第３のアプリケーションを前記第２のディスプレイ上の前記第３のアプリケーションに関連するウィンドウに表示すること、
前記第２のアプリケーションに関連するウィンドウ及び前記第３のアプリケーションに関連するウィンドウのうちの少なくとも１つを、別の選択された位置に選択的に移動することであって、前記別の選択された位置は、不可視位置であり、前記ウィンドウスタックのウィンドウの順番が、少なくともユーザ入力ジェスチャによって操作され、該ユーザ入力ジェスチャが、前記第１のデスクトップ、前記第２のデスクトップ、前記第１のアプリケーションに関連するウィンドウ、前記第２のアプリケーションに関連するウィンドウ、及び前記第３のアプリケーションに関連するウィンドウのうちの一つを前記第１及び第２のディスプレイ上の可視位置又は不可視位置のいずれかにユーザが選択的に移動する前記ウィンドウスタックの論理的順番に対応している、方法。
【請求項２】
前記第１及び第２の入力は、次のｉ）ユーザ入力ジェスチャ、ｉｉ）ユーザ入力ジェスチャの組合せ、ｉｉｉ）メモリ出力、ｉｖ）プログラムされた条件に対する応答、及び、ｖ）ハードウェアタイマのうちの少なくとも１つを含む、請求項１に記載の方法。
【請求項３】
前記選択的に移動することは、ドラッグジェスチャ又はフリックジェスチャのうちの少なくとも１つによって達成される、請求項１に記載の方法。
【請求項４】
ドラッグジェスチャ及びフリックジェスチャは、前記第１及び第２のディスプレイの画面外エリア上で実行される、請求項３に記載の方法。
【請求項５】
コンピュータ可読媒体であって、該コンピュータ可読媒体上にコンピューティングシステムに方法を実行させる命令が格納されており、前記命令は、
第１のアプリケーションに関連するウィンドウを前記複数画面デバイスの第１のディスプレイ上に表示された第１の位置から第２の位置に移動させ、複数画面デバイスの第１のディスプレイ上に第１のデスクトップを明示するという命令を表す第１の既定の入力を受信するよう構成された命令であって、前記第１のアプリケーションに関連する前記ウィンドウと前記第１のデスクトップとは、少なくとも一つのウィンドウスタックに配置され、前記第２の位置は不可視位置である、前記第１の既定の入力を受信するよう構成された命令と、
前記第１のディスプレイ上に表示する第２のアプリケーションを決定するように構成された命令と、
前記少なくとも一つのウィンドウスタックにおける前記第２のアプリケーションに関連するウィンドウに対する第１のスタック位置を決定するように構成された命令と、
前記複数画面デバイスの第２のディスプレイ上に第２のデスクトップを明示するという命令を表す第２の既定の入力を受信するよう構成された命令と、
前記複数画面デバイスの第２のディスプレイ上に表示する第３のアプリケーションを決定するように構成された命令と、
前記少なくとも一つのウィンドウスタックにおける前記第３のアプリケーションに関連するウィンドウに対する第２のスタック位置を決定するように構成された命令と、
前記第１及び第２の既定の入力に対して、前記第２のアプリケーションを前記第１のディスプレイ上の前記第２のアプリケーションに関連するウィンドウに表示させ、且つ、前記第３のアプリケーションを前記第２のディスプレイ上の前記第３のアプリケーションに関連するウィンドウに表示させる出力で応答するように構成された命令と、
前記第２及び第３のアプリケーションに関連する一つ又は複数のウィンドウの可視位置を変更するという命令を表す第３の既定の入力を受信するように構成された命令と、
前記第２及び第３のアプリケーションに関連する一つ又は複数のウィンドウの場所を、不可視位置に変更させる前記第３の既定の入力に対して応答するように構成された命令であって、前記ウィンドウスタックのウィンドウの順番が、少なくともユーザ入力ジェスチャによって操作され、該ユーザ入力ジェスチャが、前記第１のデスクトップ、前記第２のデスクトップ、前記第１のアプリケーションに関連するウィンドウ、前記第２のアプリケーションに関連するウィンドウ、及び前記第３のアプリケーションに関連するウィンドウのうちの一つを前記第１及び第２のディスプレイ上の可視位置又は不可視位置のいずれかにユーザが選択的に移動する前記ウィンドウスタックの論理的順番に対応している、前記第３の既定の入力に対して応答するように構成された命令と
を含む、コンピュータ可読媒体。
【請求項６】
前記第１のディスプレイは、一次画面に相当し、前記第２のディスプレイは、二次画面に相当する、請求項５に記載のコンピュータ可読媒体。
【請求項７】
第３の不可視デスクトップ又は第３のアプリケーションの位置を変更するという命令を表す第４の既定の入力を受信するように構成された命令と、
前記第３の不可視デスクトップ又は第３のアプリケーションを前記第１又は第２のディスプレイのいずれかの可視位置に移動させ、それにより、前記以前に表示されたデスクトップ又はアプリケーションを置き換える前記第４の既定の入力に対して応答するように構成された命令と
をさらに含む、請求項５に記載のコンピュータ可読媒体。
【請求項８】
前記第１又は第２のデスクトップ又は第１又は第２のアプリケーションのうちの１つの位置を、前記第１又は第２のディスプレイのうちの１つの可視位置から前記不可視位置に変更するという命令を表す第３の既定の入力を受信するように構成された命令と、
前記第１又は第２のデスクトップ又は第１又は第２のアプリケーションを前記不可視位置に移動させる前記第３の既定の入力に対して応答するよう構成された命令と
をさらに含む、請求項５に記載のコンピュータ可読媒体。
【請求項９】
前記第３の既定の入力は、少なくともユーザ入力ジェスチャを含む、請求項５に記載のコンピュータ可読媒体。
【請求項１０】
複数画面ユーザデバイスであって、
第１のディスプレイエリアを含む第１のディスプレイと、
第２のディスプレイエリアを含む第２のディスプレイと、
前記第１のディスプレイの第１のユーザ入力ジェスチャエリアと
前記第２のディスプレイの第２のユーザ入力ジェスチャエリアと、前記第１ユーザ入力ジェスチャエリア及び第２のユーザ入力ジェスチャエリアは、ユーザからの入力を受け入れるよう構成されており、
コンピュータ可読媒体であって、該コンピュータ可読媒体上に命令が格納されており、前記命令は、
ユーザによって実行されるように選択されたデスクトップ又はアプリケーションの数及び同一性を決定するよう構成された第１のセットの命令と、
前記デスクトップ又は実行中のアプリケーションの前記数及び同一性に基づいて、順序付けされたグループ内の前記デスクトップ及びアプリケーションの論理的表現を含むウィンドウスタックを決定し、ユーザは、選択されたデスクトップ又はアプリケーションを、不可視位置に選択的に移動することができるよう構成された第２のセットの命令と、
前記選択されたデスクトップ又はアプリケーションの認識された位置を、前記ユーザによって実行されたジェスチャのタイプによって決定されるような前記選択された位置に移動するため、前記ユーザによって行われたジェスチャに応答する第３のセットの命令と
を含む、前記コンピュータ可読媒体と
を備える複数画面ユーザデバイス。
【請求項１１】
前記第１のディスプレイは、一次画面に相当し、前記第２のディスプレイは、二次画面に相当する、請求項１０に記載のデバイス。
【請求項１２】
前記第１のユーザ入力ジェスチャエリアは、前記第１のディスプレイの画面外エリア上及び前記第１のディスプレイエリアの外側に位置する、請求項１１に記載のデバイス。
【請求項１３】
前記第２のユーザ入力ジェスチャエリアは、前記第２のディスプレイの画面外エリア上及び前記第２のディスプレイエリアの外側に位置する、請求項１１に記載のデバイス。
【請求項１４】
前記第１及び第２のディスプレイは、前記ウィンドウスタックにおける前記デスクトップ及びアプリケーションの順番を操作するユーザ入力ジェスチャによって異なる表示画像を示す、請求項１１に記載のデバイス。
【請求項１５】
前記実行されたユーザ入力ジェスチャは、前記ユーザが前記第１及び第２のデスクトップ又は第１及び第２のアプリケーションを前記第１及び第２のディスプレイ上の可視位置又は不可視位置のいずれかに選択的に移動する前記ウィンドウスタックの論理的順番に対応する、請求項１４に記載のデバイス。